【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
第１の周波数を発振する第１の水晶振動子と、前記第１の水晶振動子に接続する第１の発振回路と、第２の周波数を発振する第２の水晶振動子と、前記第２の水晶振動子に接続する第２の発振回路とを備え、
前記第１の発振回路及び前記第２の発振回路のセレクタ端子には、共通の周波数切り替え電圧信号が印加され、
前記第１の発振回路の切り替え制御端子には電源電圧が印加され、
前記第２の発振回路の切り替え制御端子は接地され、
前記第１の発振回路の出力と前記第２の発振回路の出力を接続して前記第１の共通の信号線から出力し、前記第１の発振回路の反転出力と前記第２の発振回路の反転出力を接続して第２の共通の信号線から出力し、
前記第１の共通の信号線と前記第２の共通の信号線との間をインダクタで接続したことを特徴とする周波数選択型発振回路。
【請求項２】
第１の周波数を発振する第１の水晶振動子と、前記第１の水晶振動子に接続する第１の発振回路と、第２の周波数を発振する第２の水晶振動子と、前記第２の水晶振動子に接続する第２の発振回路とを備え、
前記第１の発振回路及び前記第２の発振回路のセレクタ端子には、共通の周波数切り替え電圧信号が印加され、
前記第１の発振回路の切り替え制御端子には電源電圧が印加され、
前記第２の発振回路の切り替え制御端子は接地され、
前記第１の発振回路の出力と前記第２の発振回路の出力を接続して前記第１の共通の信号線から出力し、前記第１の発振回路の反転出力と前記第２の発振回路の反転出力を接続して第２の共通の信号線から出力し、
前記第１の共通の信号線と前記第２の共通の信号線との間をインダクタで接続し、
周波数切り替え電圧信号として、ハイレベルとローレベルの電圧が印加され、
前記第１の発振回路は、周波数切り替え電圧信号がハイレベルのとき第１の発振周波数を前記第１の共通の信号線及び前記第２の共通の信号線から出力し、
前記第２の発振回路は、周波数切り替え電圧信号がローレベルのとき第２の発振周波数を前記第１の共通の信号線及び前記第２の共通の信号線から出力することを特徴とする周波数選択型発振回路。
【請求項３】
インダクタのインピーダンスは、第１の共通の信号線と第２の共通の信号線に発生する寄生容量のインピーダンスを打ち消すように設定されることを特徴とする請求項１又は２記載の周波数選択型発振回路。
【手続補正２】
【補正対象書類名】明細書
【補正対象項目名】００１０
【補正方法】変更
【補正の内容】
【００１０】
上記従来例の問題点を解決するための本発明は、周波数選択型発振回路において、第１の周波数を発振する第１の水晶振動子と、第１の水晶振動子に接続する第１の発振回路と、第２の周波数を発振する第２の水晶振動子と、第２の水晶振動子に接続する第２の発振回路とを備え、第１の発振回路及び第２の発振回路のセレクタ端子には、共通の周波数切り替え電圧信号が印加され、第１の発振回路の切り替え制御端子には電源電圧が印加され、第２の発振回路の切り替え制御端子は接地され、第１の発振回路の出力と第２の発振回路の出力を接続して第１の共通の信号線から出力し、第１の発振回路の反転出力と第２の発振回路の反転出力を接続して第２の共通の信号線から出力し、第１の共通の信号線と第２の共通の信号線との間をインダクタで接続したことを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、本発明は、上記周波数選択型発振器回路において、第１の周波数を発振する第１の水晶振動子と、第１の水晶振動子に接続する第１の発振回路と、第２の周波数を発振する第２の水晶振動子と、第２の水晶振動子に接続する第２の発振回路とを備え、第１の発振回路及び第２の発振回路のセレクタ端子には、共通の周波数切り替え電圧信号が印加され、第１の発振回路の切り替え制御端子には電源電圧が印加され、第２の発振回路の切り替え制御端子は接地され、第１の発振回路の出力と第２の発振回路の出力を接続して第１の共通の信号線から出力し、第１の発振回路の反転出力と第２の発振回路の反転出力を接続して第２の共通の信号線から出力し、第１の共通の信号線と第２の共通の信号線との間をインダクタで接続し、周波数切り替え電圧信号として、ハイレベルとローレベルの電圧が印加され、第１の発振回路は、周波数切り替え電圧信号がハイレベルのとき第１の発振周波数を第１の共通の信号線及び第２の共通の信号線から出力し、第２の発振回路は、周波数切り替え電圧信号がローレベルのとき第２の発振周波数を第１の共通の信号線及び第２の共通の信号線から出力することを特徴としている。
【手続補正６】
【補正対象書類名】明細書
【補正対象項目名】００１５
【補正方法】変更
【補正の内容】
【００１５】
本発明によれば、第１の周波数を発振する第１の水晶振動子と、第１の水晶振動子に接続する第１の発振回路と、第２の周波数を発振する第２の水晶振動子と、第２の水晶振動子に接続する第２の発振回路とを備え、第１の発振回路及び第２の発振回路のセレクタ端子には、共通の周波数切り替え電圧信号が印加され、第１の発振回路の切り替え制御端子には電源電圧が印加され、第２の発振回路の切り替え制御端子は接地され、第１の発振回路の出力と第２の発振回路の出力を接続して第１の共通の信号線から出力し、第１の発振回路の反転出力と第２の発振回路の反転出力を接続して第２の共通の信号線から出力し、第１の共通の信号線と第２の共通の信号線との間をインダクタで接続した周波数選択型発振器回路としているので、回路の小型化を妨げることなく第１と第２の異なる周波数を出力することができ、第１の共通の信号線と第２の共通の信号線との間の電位差がなくなり、ＤＣレベルのずれを無くしてデューティサイクルを改善し、良好な出力電圧特性を得ることができる効果がある。
【手続補正７】
【補正対象書類名】明細書
【補正対象項目名】００１６
【補正方法】変更
【補正の内容】
【００１６】
また、本発明によれば、第１の周波数を発振する第１の水晶振動子と、第１の水晶振動子に接続する第１の発振回路と、第２の周波数を発振する第２の水晶振動子と、第２の水晶振動子に接続する第２の発振回路とを備え、第１の発振回路及び第２の発振回路のセレクタ端子には、共通の周波数切り替え電圧信号が印加され、第１の発振回路の切り替え制御端子には電源電圧が印加され、第２の発振回路の切り替え制御端子は接地され、第１の発振回路の出力と第２の発振回路の出力を接続して第１の共通の信号線から出力し、第１の発振回路の反転出力と第２の発振回路の反転出力を接続して第２の共通の信号線から出力し、第１の共通の信号線と第２の共通の信号線との間をインダクタで接続し、周波数切り替え電圧信号として、ハイレベルとローレベルの電圧が印加され、第１の発振回路は、周波数切り替え電圧信号がハイレベルのとき第１の発振周波数を第１の共通の信号線及び第２の共通の信号線から出力し、第２の発振回路は、周波数切り替え電圧信号がローレベルのとき第２の発振周波数を第１の共通の信号線及び第２の共通の信号線から出力する周波数選択型発振器回路としているので、回路の小型化を妨げることなく第１と第２の異なる周波数を出力することができ、第１の共通の信号線と第２の共通の信号線との間の電位差がなくなり、ＤＣレベルのずれを無くしてデューティサイクルを改善し、良好な出力電圧特性を得ることができる効果がある。